(57)【特許請求の範囲】
【請求項１】
放送機から給電される電波を、常用アンテナと非常用アンテナの間で切り替える無停波型アンテナ切替装置であって、
第１ポート、第２ポートおよび第３ポートを有し、前記放送機から前記第１ポートに入射された電波を前記第２ポートから出射すると共に、前記第２ポートに入射する電波を前記第３ポートから出射するサーキュレータと、
前記サーキュレータの前記第２ポートから出射される電波を前記常用アンテナへ給電する第１の給電線に設けられ、電波の使用帯域を通過帯域とする第１位置と、前記使用帯域を反射帯域とする第２位置との間で切り替え可能なバンドパスフィルタと、を備え、
前記バンドパスフィルタを前記第１位置に切り替えたときに、前記放送機から前記サーキュレータの前記第１ポートに入射されて、前記第２ポートから出射される電波が前記バンドパスフィルタを通って前記常用アンテナに給電され、
前記バンドパスフィルタを前記第２位置に切り替えたときに、前記サーキュレータの前記第２ポートから出射され前記バンドパスフィルタで反射される電波が前記第２ポートに再入射し、前記サーキュレータの前記第３ポートから出射される電波が前記第３ポートに設けられた第２の給電線を介して前記非常用アンテナに給電されることを特徴とする無停波型アンテナ切替装置。
【請求項２】
前記第３ポートに接続された前記第２の給電線には、前記第３ポートから出射される前記使用帯域の電波を前記非常用アンテナへ給電させる第１位置と、該電波をダミーロードへ給電させる第２位置との間で切り替え可能な切替スイッチが設けられていることを特徴とする請求項１に記載の無停波型アンテナ切替装置。
【請求項３】
前記バンドパスフィルタは、前記サーキュレータの前記第２ポート側に前記第１の給電線を介して接続されるフィルタ入力部と前記常用アンテナ側に前記第１の給電線を介して接続されるフィルタ出力部とを有する筐体と、該筐体内に形成された複数の並列共振回路と、該複数の並列共振回路の各キャパシタを構成する部材が固定された蓋体と、を備え、前記蓋体に固定された把持部を把持して、前記蓋体を２つの位置間で前記筐体に対して押し引きすることで、前記複数の並列共振回路の各キャパシタを変化させて前記電波の使用帯域を通過帯域とする前記第１位置と、前記使用帯域を反射帯域とする前記第２位置との間で切り替え可能であることを特徴とする請求項１又は２に記載の無停波型アンテナ切替装置。
【発明の詳細な説明】
【技術分野】
【０００１】
本発明は、放送局の電波送信所において、常時使用している常用アンテナ（常用の送信アンテナ）と非常時等に使用する非常用アンテナ（非常用の送信アンテナ）との間で、電波を瞬断無く切替える為の無停波型アンテナ切替装置に関する。
【背景技術】
【０００２】
従来、放送局の電波送信所においては、例えば図１１、および図１２に示すように、一般に送信用アンテナが常用アンテナと非常用アンテナの２系統に分かれている。これは送信用アンテナの一部が故障した場合でも、全面的に送信用アンテナから電波が出なくなる場合を極力無くする為の工夫である。図１１に示す従来技術は、放送機１００から電波を常用アンテナ１０１に給電する伝送ルートと、放送機１００から電波を非常用アンテナ１０２に給電する伝送ルートとを、切替器１０３により機械的に切り替えるようになっている。
【０００３】
また、図１２に示す従来技術は、アンテナの切替時に電波が途切れることなく、いずれかのアンテナで電波の伝送を行えるようにした切替装置である（例えば、特許文献１参照）。この切替装置においては、送信機１２０から出力された電波はハイブリッド型電力分配器１１１に入力される。この分配器１１１により、電力絶対値が3dBに２分配され、それぞれの位相がπ/2ずれた２波に分配（ショートスロット型の場合、マジックＴ型の場合はそれぞれの位相がπずれた２波に分配）される。一方の波は移相器１１３に入力され、この移相器１１３により通過位相を自由に調整できる。他方の波はそのままハイブリッド型電力合成器１１２に入力される。ここで移相器１１３により、一方の波の入力位相を変えることにより、送信機１２０から出力される電波が常用アンテナ１２１に給電される状態（図１２参照）から非常用アンテナ１２２に給電される状態（図１３参照）に切り替えることができる。なお、図１２および図１３で、矢印の太さは電力量を示している。この切替器は必ず、常用アンテナ出力＋非常用アンテナ出力＝放送機出力−（全系統の伝送ロス）となっている。
【特許文献１】特開２００１−１７７４５３号公報
【発明の開示】
【発明が解決しようとする課題】
【０００４】
ところで、図１１に示す上記従来技術では、伝送ルートを切替器１０３により機械的に切り替える為に、その切替時には必ず瞬断を生じていた。その為、例えば常用アンテナ１０１から非常用アンテナ１０２に伝送ルートを切り替える時には、常用アンテナ１０１、非常用アンテナ１０２ともに電波が出て行かない時間が少なからず生じていた。つまり、その切替時に、常用アンテナ１０１、非常用アンテナ１０２ともに電波が給電されない瞬断が生じるという問題があった。
【０００５】
また、上記特許文献１に記載された切替装置では、ハイブリッド型電力分配器１１１およびハイブリッド型電力合成器１１２にそれぞれ周波数特性がある為に、広帯域にチャンネル合成された電波を切り替えた時に、チャンネルによって、常用アンテナ１２１と非常用アンテナ１２２への分配に偏差が出る等の問題点があった。例えば、ＵＨＦ帯の１チャンネルの電波を切り替える際には、常用アンテナ１２１と非常用アンテナ１２２への分配に偏差が出る等の問題は無いが、２チャンネル以上の合成された電波を切り替える際にはその分配に偏差が出る等の問題があった。
【０００６】
本発明は、このような従来の問題点に鑑みてなされたもので、その目的は、常用アンテナと非常用アンテナとの間で、広帯域にチャンネル合成された電波を瞬断無く切替え可能な無停波型アンテナ切替装置を提供することにある。
【課題を解決するための手段】
【０００７】
上記課題を解決するために、本発明の第１の態様に係る無停波型アンテナ切替装置は、放送機から給電される電波を、常用アンテナと非常用アンテナの間で切り替える無停波型アンテナ切替装置であって、第１ポート、第２ポートおよび第３ポートを有し、前記放送機から前記第１ポートに入射された電波を前記第２ポートから出射すると共に、前記第２ポートに入射する電波を前記第３ポートから出射するサーキュレータと、前記サーキュレータの前記第２ポートから出射される電波を前記常用アンテナへ給電する第１の給電線に設けられ、電波の使用帯域を通過帯域とする第１位置と、前記使用帯域を反射帯域とする第２位置との間で切り替え可能なバンドパスフィルタと、を備え、前記バンドパスフィルタを前記第１位置に切り替えたときに、前記放送機から前記サーキュレータの前記第１ポートに入射されて、前記第２ポートから出射される電波が前記バンドパスフィルタを通って前記常用アンテナに給電され、前記バンドパスフィルタを前記第２位置に切り替えたときに、前記サーキュレータの前記第２ポートから出射され前記バンドパスフィルタで反射される電波が前記第２ポートに再入射し、前記サーキュレータの前記第３ポートから出射される電波が前記第３ポートに設けられた第２の給電線を介して前記非常用アンテナに給電されることを特徴とする。
【０００８】
この態様によれば、バンドパスフィルタを第１位置に切り替えると、放送機からサーキュレータの第１ポートに入射されてその第２ポートから出射される電波がバンドパスフィルタを通って常用アンテナに給電される。一方、バンドパスフィルタを第２位置に切り替えると、サーキュレータの第２ポートから出射されバンドパスフィルタで反射された電波がその第２ポートに再入射し、サーキュレータの第３ポートから出射されて非常用アンテナに給電される。
【０００９】
このように、バンドパスフィルタを第１位置に切り替えると、バンドパスフィルタは電波の使用帯域（例えば、１３ｃｈ〜３５ｃｈのＵＨＦ周波数帯域）を通過させ、使用帯域の電波が常用アンテナに給電される。また、バンドパスフィルタを第２位置に切り替えると、バンドパスフィルタは電波の使用帯域を反射させ、反射された使用帯域の電波がサーキュレータの第２ポートに再入射し、サーキュレータの第３ポートから非常用アンテナに給電される。
【００１０】
このようにして、バンドパスフィルタを第１位置と第２位置との間で切り替えることで、放送機から給電される使用帯域の電波、つまり、広帯域にチャンネル合成された電波を、常用アンテナと非常用アンテナとの間で瞬断無く切り替えることができる。また、常用アンテナに給電される電波はバンドパスフィルタを通過した使用帯域の電波（広帯域にチャンネル合成された電波）であり、非常用アンテナに給電される電波はバンドパスフィルタで反射された電波で、バンドパスフィルタを通過して常用アンテナに給電される電波と同じ使用帯域の電波である。このため、バンドパスフィルタを第１位置と第２位置との間で切り替えることで、広帯域にチャンネル合成された電波を、常用アンテナと非常用アンテナとの間で切り替える際に、常用アンテナと非常用アンテナへの分配に偏差が出る等の問題は生じない。
【００１１】
本発明の他の態様に係る無停波型アンテナ切替装置は、前記第３ポートに接続された前記第２の給電線には、前記第３ポートから出射される前記使用帯域の電波を前記非常用アンテナへ給電させる第１位置と、該電波をダミーロードへ給電させる第２位置との間で切り替え可能な切替スイッチが設けられていることを特徴とする。
【００１２】
この態様によれば、バンドパスフィルタを第１位置に切り替えてサーキュレータの第２ポートから出射される電波を常用アンテナへ給電する際には、切替スイッチを第２位置に切り替えておく。これにより、常用アンテナへの給電中にサーキュレータの第３ポートから電波が僅かに漏れたとしても、その電波は切替スイッチを介してダミーロードへ給電されて消費されるので、第３ポートから僅かに漏れる電波により不具合が発生するのを抑制できる。一方、バンドパスフィルタを第２位置に切り替えてサーキュレータの第３ポートから出射される電波を非常用アンテナへ給電する際には、バンドパスフィルタを第２位置に切り替える前に、切替スイッチを第１位置に切り替えておけばよい。
【００１３】
本発明の他の態様に係る無停波型アンテナ切替装置は、前記バンドパスフィルタは、前記サーキュレータの第２ポート側に前記第１の給電線を介して接続されるフィルタ入力部と前記常用アンテナ側に前記第１の給電線を介して接続されるフィルタ出力部とを有する筐体と、該筐体内に形成された複数の並列共振回路と、該複数の並列共振回路の各キャパシタを構成する部材が固定された蓋体と、を備え、前記蓋体に固定された把持部を把持して、前記蓋体を２つの位置間で前記筐体に対して押し引きすることで、前記複数の並列共振回路の各キャパシタを変化させて前記電波の使用帯域を通過帯域とする第１位置と、前記使用帯域を反射帯域とする第２位置との間で切り替え可能であることを特徴とする。
【発明の効果】
【００１４】
本発明によれば、広帯域にチャンネル合成された電波を、常用アンテナと非常用アンテナとの間で瞬断無く切り替えることができる。しかも、常用アンテナと非常用アンテナへの分配に偏差が出る等の問題は生じない。つまり、広帯域にチャンネル合成された同じ電波を、常用アンテナと非常用アンテナとの間で瞬断無く切り替えることができる。
【発明を実施するための最良の形態】
【００１５】
本発明を具体化した各実施態様を図面に基づいて説明する。なお、各実施形態の説明において、同様の部位には同一の符号を付して重複した説明を省略する。
（第１実施形態）
本発明の第１実施形態に係る無停波型アンテナ切替装置を、図１乃至図９に基づいて説明する。
【００１６】
図１は第１実施形態に係る無停波型アンテナ切替装置をテレビ中継放送所に用いた構成例の概略を示している。図２は無停波型アンテナ切替装置の概略構成を示すブロック図、図３は同切替装置の概略構成を示す斜視図である。図４は同切替装置のバンドパスフィルタを示す図で、電波の使用帯域を通過帯域とする第１位置にある状態を示す断面図、図５はバンドパスフィルタを示す図で、電波の使用帯域を反射帯域とする第２位置にある状態を示す断面図である。図６はそのバンドパスフィルタを示す平面図である。図７はそのバンドパスフィルタを構成する並列共振回路の等価回路を示す回路図である。図８はそのバンドパスフィルタの動作説明図である。また、図９はそのバンドパスフィルタの通過帯域移行特性を示すグラフである。
【００１７】
図１に示すように、第１実施形態に係る無停波型アンテナ切替装置１は、テレビ中継放送所における送信空中線である常用アンテナ２と、共用装置３との間に配置される。常用アンテナ２は、常時使用している常用の送信アンテナである。符号「４」は、テレビ中継放送所において送信空中線関係の工事や各種機器の点検を行う場合等の非常時に使用する非常用アンテナ（仮設の送信空中線）である。
【００１８】
共用装置３は、複数台の放送機５１〜５１０を備えた放送機５から送られる複数ｃｈ（チャンネル）分の電波を合成し、この広帯域にチャンネル合成されたＵＨＦ周波数帯域の電波を無停波型アンテナ切替装置１に給電する。このように、無停波型アンテナ切替装置１には、放送機５から共用装置３を介して広帯域にチャンネル合成されたＵＨＦ周波数帯域の電波が給電されるようになっている。無停波型アンテナ切替装置１には、例えば１３ｃｈ〜３５ｃｈ（チャンネル）のＵＨＦ周波数帯域内における複数チャンネル分の広帯域にチャンネル合成されたＵＨＦ周波数帯域の電波が給電される。ここで、１３ｃｈは中心周波数が473 MHZの放送波（電波）、１４ｃｈは中心周波数が479 MHZの放送波、・・・３５ｃｈは中心周波数が605 MHZの放送波である。また、テレビ中継放送所の放送機５には、常用電源６と非常用電源７が接続されている。このように、放送機５の電源系として、冗長系統が常時確保されている。
【００１９】
無停波型アンテナ切替装置１は、共用装置３から給電される広帯域にチャンネル合成されたＵＨＦ周波数帯域の電波を、瞬断を生じることなく(無瞬断で)、つまり無停波で、常用アンテナ２側から非常用アンテナ４側に、或いは、非常用アンテナ４側から常用アンテナ２側に切り替え可能になっている。
【００２０】
この無停波型アンテナ切替装置１の具体的構成を、図２〜図９に基づいて説明する。
図２において、符号３ａは、図１に示す共用装置３内部の放送機である。この放送機３ａから無停波型アンテナ切替装置１に、上述した広帯域にチャンネル合成されたＵＨＦ周波数帯域の電波が給電される。
【００２１】
無停波型アンテナ切替装置１は、図２および図３に示すように、サーキュレータ１０と、バンドパスフィルタ（通過帯域可変型ＢＰＦ）１１とを備えている。
【００２２】
サーキュレータ１０は、第１ポートｐ１、第２ポートｐ２および第３ポートｐ３を有し、放送機３ａ（放送機５）から第１ポートｐ１に入射された電波を第２ポートｐ２から出射すると共に、第２ポートｐ２に入射する電波を第３ポートｐ３から出射するようになっている。ここで、サーキュレータ１０の第１ポートｐ１には、広帯域にチャンネル合成されたＵＨＦ周波数帯域の電波が給電される。
【００２３】
バンドパスフィルタ１１は、図２および図３に示すように、サーキュレータ１０の第２ポートｐ２から出射される電波を常用アンテナ２へ給電する第１の給電線１２ａ，１２ｂに設けられ、電波の使用帯域を通過帯域とする第１位置と、使用帯域を反射帯域とする第２位置との間で切り替え可能になっている。バンドパスフィルタ１１は、サーキュレータ１０の第２ポートｐ２側に第１の給電線１２ａを介して接続されるフィルタ入力部１１ａと、常用アンテナ２側に第１の給電線１２ｂを介して接続されるフィルタ出力部１１ｂとを備えている。ここで、バンドパスフィルタ１１が通過帯域或いは反射帯域とする電波の使用帯域は、本実施形態では、１３ｃｈ〜３５ｃｈのＵＨＦ周波数帯域（中心周波数が539MHzで、22×6MHz=132MHzの周波数帯域）である。
【００２４】
サーキュレータ１０の第３ポートｐ３には、図２および図３に示すように、第３ポートｐ３から出射される電波を非常用アンテナ４へ給電する第２の給電線１３ａ，１３ｂが接続されている。さらに、無停波型アンテナ切替装置１は、第３ポートｐ３に接続された第２の給電線１３ａ，１３ｂ間に接続された切替スイッチ１４を有する切替器１５を備えている。
【００２５】
切換スイッチ１４は、サーキュレータ１０の第３ポートｐ３から出射される電波を第２の給電線１３ｂを介して非常用アンテナ４へ給電させる第１位置と、この電波をダミーロード１６へ給電させる第２位置（図２に示す位置）との間で切り替え可能である。切替器１５には、図３に示すように、ダミーロード１６を切替器１５に装着して切換スイッチ１４に接続するためのダミーロード装着部１５ａが設けられている。
【００２６】
バンドパスフィルタ１１は、図３乃至図６に示すように、上記フィルタ入力部１１ａとフィルタ出力部１１ｂを有する筐体２０と、筐体２０内に形成された複数の並列共振回路２１１〜２１６（図７参照）と、複数の並列共振回路２１１〜２１６の各キャパシタＣ１〜Ｃ６を構成する部材が固定された蓋体２２と、を備えている。
【００２７】
複数の（本例では６つの）並列共振回路２１１〜２１６は、フィルタ入力部（入力端子）１１ａとフィルタ出力部（出力端子）１１ｂとの間において、各並列共振回路のインダクタＬとキャパシタＣ１〜Ｃ６の接続点が各コンデンサＣ１１〜Ｃ１７を介して互いに接続されるように配置されている。６つの並列共振回路２１１〜２１６は、各々の共振周波数ｆ（ｆ＝１／２π√ＬＣ）を異ならせてある。
【００２８】
各並列共振回路２１１〜２１６のインダクタＬは、中央部付近まで中空部２３ａが形成された金属製の共振バフ２３により構成されている。この共振バフ２３は、各並列共振回路２１１〜２１６毎に一つずつ、合計で６個設けられている。各共振バフ２３の基端部は蓋体２２に固定されている。各並列共振回路２１１〜２１６のキャパシタＣ１〜Ｃ６は、筐体２０の底壁２０ａに、筐体内部への突出量を調整可能に取り付けられた調整ねじ２４と、各調整ねじ２４が対向する共振バフ２３とにより形成される。本例では並列共振回路２１１〜２１６が６つ形成されているので、調整ねじ２４も６本設けられている。また、コンデンサＣ１１〜Ｃ１７は、共振バフ２３間に配置される結合容量調整部材２７等によって構成される。６本の調整ねじ２４の筐体内部への突出量を調整し、或いは、結合容量調整部材２７の配置位置を調整することで、並列共振回路２１１〜２１６の各共振周波数ｆを微調整可能になっている。このように、各共振バフ２３は、各並列共振回路２１１〜２１６のインダクタＬを構成すると共に、各キャパシタＣ１〜Ｃ６を各調整ねじ２４と共に構成する部材でもある。
【００２９】
そして、バンドパスフィルタ１１は、蓋体２２に固定された把持部２５を把持して、蓋体２２を図４に示す位置と図５に示す位置の間で筐体２０に対して押し引きすることで、並列共振回路２１１〜２１６の各キャパシタＣ１〜Ｃ６を変化させて電波の使用帯域を通過帯域とする第１位置と、その使用帯域を反射帯域とする第２位置との間で切り替え可能になっている。
【００３０】
図４は、蓋体２２を筐体２０に押し込んだ状態を示している。この状態では、並列共振回路２１１〜２１６の各キャパシタＣ１〜Ｃ６が大きくなって各並列共振回路２１１〜２１６の共振周波数ｆが低くなり、その結果、バンドパスフィルタ１１は、電波の使用帯域を通過帯域とする第１位置に切り替えられている。つまり、この第１位置にあるバンドパスフィルタ１１は、図８の線３０で示すように、電波の使用帯域（使用チャンネル）を通過させる。より詳しくは、第１位置にあるバンドパスフィルタ１１は、図９の曲線３１で示すように、１３ｃｈ〜３５ｃｈのＵＨＦ周波数帯域（中心周波数が539MHzで、22×6MHz=132MHzの周波数帯域）で減衰量が０（dB）であり、入射したそのＵＨＦ周波数帯域の電波が全てバンドパスフィルタ１１を通過する。
【００３１】
従って、バンドパスフィルタ１１を第１位置に切り替えた状態では、放送機３ａからサーキュレータ１０の第１ポートｐ１に入射されて第２ポートｐ２から出射する電波（広帯域にチャンネル合成されたＵＨＦ周波数帯域の電波）は、バンドパスフィルタ１１を通過して常用アンテナ２に給電されるようになっている。
【００３２】
一方、図５は、蓋体２２を筐体２０に対して引いた状態を示している。この状態では、並列共振回路２１１〜２１６の各キャパシタＣ１〜Ｃ６が小さくなって各並列共振回路２１１〜２１６の共振周波数ｆが高くなり、その結果、バンドパスフィルタ１１は、電波の使用帯域を反射帯域とする第２位置に切り替えられている。つまり、この第２位置にあるバンドパスフィルタ１１は、図８の線３２で示すように、電波の使用帯域（使用チャンネル）を反射させる。より詳しくは、第２位置にあるバンドパスフィルタ１１は、図９の曲線３３で示すように、通過帯域の中心周波数が539 MHZから839 MHZに移行している。その結果、第２位置にあるバンドパスフィルタ１１は、１３ｃｈ〜３５ｃｈのＵＨＦ周波数帯域で減衰量が−70（dB）〜−45（dB）の特性（反射特性）に切り替わっており、入射したそのＵＨＦ周波数帯域の電波の略全てバンドパスフィルタ１１で反射される。なお、このバンドパスフィルタ１１を通過する電波は、入射する電波の1/10000（−40（dB））より小さい。
【００３３】
従って、バンドパスフィルタ１１を第２位置に切り替えた状態では、放送機３ａからサーキュレータ１０の第１ポートｐ１に入射されて第２ポートｐ２から出射する電波（広帯域にチャンネル合成されたＵＨＦ周波数帯域の電波）は、バンドパスフィルタ１１で反射されて第２ポートｐ２に再入射する。なお、この状態では、バンドパスフィルタ１１を通過する電波は、入射する電波の1/10000（−40（dB））より小さいので、第２ポートｐ２からバンドパスフィルタ１１に入射する電波の略全てがこのバンドパスフィルタ１１で反射されて、第２ポートｐ２へ戻る。第２ポートｐ２に再入射した電波は、サーキュレータ１０の第３ポートｐ３から出射し、予め第１位置に切り替えてある切替スイッチ１４を介して非常用アンテナ４に給電されるようになっている。
【００３４】
次に、上記構成を有する無停波型アンテナ切替装置１の動作を説明する。
テレビ中継放送所において送信空中線関係の工事や各種機器の点検を行わない場合（通常時）には、非常用アンテナ４は外しておく。また、この場合、切換スイッチ１４は、サーキュレータ１０の第３ポートｐ３から出射される電波をダミーロード１６へ給電させる第２位置に切り替えておくとともに、ダミーロード１６を切替器１５のダミーロード装着部１５ａ（図３に示す）に装着して切換スイッチ１４に接続しておく。
【００３５】
そして、このような通常時には、バンドパスフィルタ１１を、電波の使用帯域を通過帯域とする第１位置（図４に示す位置）に切り替えておく。このようにバンドパスフィルタ１１を第１位置に切り替えてある通常時には、バンドパスフィルタ１１は、図９の曲線３１で示すように、１３ｃｈ〜３５ｃｈのＵＨＦ周波数帯域が通過帯域（中心周波数が539 MHZの通過帯域）になっている。そのため、放送機３ａからサーキュレータ１０の第１ポートｐ１に入射されて第２ポートｐ２から出射する電波（広帯域にチャンネル合成されたＵＨＦ周波数帯域の電波）は、バンドパスフィルタ１１を通過して常用アンテナ２に給電される。
【００３６】
このような常用アンテナ２への給電中にサーキュレータ１０の第３ポートｐ３から電波が僅かに漏れたとしても、その電波は切替スイッチ１４を介してダミーロード１６へ給電されて消費されるので、第３ポートｐ３から僅かに漏れる電波により不具合が発生するのを抑制できる。
【００３７】
一方、テレビ中継放送所において送信空中線関係の工事や各種機器の点検を行う場合等の非常時には、その工事や点検等を行う前に、非常用アンテナ４を無停波型アンテナ切替装置１に取り付けて給電線１３ｂに接続しておく。さらに、切換スイッチ１４は、サーキュレータ１０の第３ポートｐ３から出射される使用帯域の電波を第２の給電線１３ｂを介して非常用アンテナ４へ給電させる。
【００３８】
この状態で、バンドパスフィルタ１１の把持部２５を把持して、蓋体２２を図４に示す位置から図５に示す位置に引き出す。これにより、バンドパスフィルタ１１は、電波の使用帯域を通過帯域とする第１位置から、その使用帯域を反射帯域とする第２位置に切り替えられる。このようにバンドパスフィルタ１１が第２位置に切り替えられると、放送機３ａからサーキュレータ１０の第１ポートｐ１に入射されて第２ポートｐ２から出射する電波（広帯域にチャンネル合成されたＵＨＦ周波数帯域の電波）は、バンドパスフィルタ１１で反射されて第２ポートｐ２に再入射する。第２ポートｐ２に再入射した電波は、サーキュレータ１０の第３ポートｐ３から出射し、切替スイッチ１４を介して非常用アンテナ４に給電される。
【００３９】
テレビ中継放送所において送信空中線関係の工事や各種機器の点検作業が終了した場合には、切換スイッチ１４を、第３ポートｐ３から出射される電波をダミーロード１６へ給電させる第２位置に切り替えるとともに、ダミーロード１６を切替器１５のダミーロード装着部１５ａに装着する。この状態で、バンドパスフィルタ１１を第２位置から再び第１位置に切り替える。これにより、放送機３ａからサーキュレータ１０の第１ポートｐ１に入射されて第２ポートｐ２から出射する電波（広帯域にチャンネル合成されたＵＨＦ周波数帯域の電波）は、再びバンドパスフィルタ１１を通過して常用アンテナ２に給電されるようになる。
【００４０】
このようにして、バンドパスフィルタ１１を第１位置と第２位置との間で切り替えることで、放送機３ａ（放送機５）から給電される使用帯域の電波、つまり、広帯域にチャンネル合成された電波を、常用アンテナ２と非常用アンテナ４との間で瞬断無く、つまり無停波で切り替えることができる。
【００４１】
以上のように構成された第１実施形態によれば、以下の作用効果を奏する。
○バンドパスフィルタ１１を第１位置（図４に示す位置）に切り替えると、バンドパスフィルタ１１は電波の使用帯域（例えば、１３ｃｈ〜３５ｃｈのＵＨＦ周波数帯域）を通過させ、使用帯域の電波が常用アンテナ２に給電される。また、バンドパスフィルタ１１を第２位置（図５に示す位置）に切り替えると、バンドパスフィルタ１１は電波の使用帯域を反射させ、反射された使用帯域の電波がサーキュレータ１０の第２ポートｐ２に再入射し、サーキュレータ１０の第３ポートｐ３から切換スイッチ１４を介して非常用アンテナ４に給電される。
【００４２】
このようにして、バンドパスフィルタ１１を第１位置と第２位置との間で切り替えることで、放送機３ａ（放送機５）から給電される使用帯域の電波、つまり、広帯域にチャンネル合成された電波を、常用アンテナ２と非常用アンテナ４との間で瞬断無く切り替えることができる。
【００４３】
○バンドパスフィルタ１１を第１位置に切り替えた状態で常用アンテナ２に給電される電波は、バンドパスフィルタ１１を通過した使用帯域の電波（広帯域にチャンネル合成された電波）である。また、バンドパスフィルタ１１を第２位置に切り替えた状態で非常用アンテナ４に給電される電波は、バンドパスフィルタ１１で反射された電波で、バンドパスフィルタ１１が第１位置にある状態で常用アンテナ２に給電される電波と同じ使用帯域の電波である。このため、バンドパスフィルタ１１を第１位置と第２位置との間で切り替えることで、広帯域にチャンネル合成された電波を、常用アンテナ２と非常用アンテナ４との間で切り替える際に、常用アンテナ２と非常用アンテナ４への分配に偏差が出る等の問題は生じない。
【００４４】
○バンドパスフィルタ１１を第１位置に切り替えてサーキュレータ１０の第２ポートｐ２から出射される電波を常用アンテナ２へ給電する際には、切替スイッチ１４を第２位置（図２に示す位置）に切り替えておく。これにより、常用アンテナ２への給電中にサーキュレータ１０の第３ポートｐ３から電波が僅かに漏れたとしても、その電波は切替スイッチ１４を介してダミーロード１６へ給電されて消費されるので、第３ポートｐ３から僅かに漏れる電波により不具合が発生するのを抑制できる。一方、バンドパスフィルタ１１を第２位置に切り替えてサーキュレータ１０の第３ポートｐ３から出射される電波を非常用アンテナ４へ給電する際には、バンドパスフィルタ１１を第２位置に切り替える前に、切替スイッチ１４を第１位置に切り替えておけばよい。
【００４５】
○バンドパスフィルタ１１を第１位置と第２位置との間で切り替えることで、放送機３ａ（放送機５）から給電される使用帯域の電波を、常用アンテナ２と非常用アンテナ４との間で瞬断無く切り替えることができるので、テレビ中継放送所における送信空中線関係の工事や各種機器の点検作業を、効率的に実施することができる。これにより、送信空中線関係の工事や各種機器の点検作業における作業時間の短縮を図ることができる。特に、送信空中線関係の工事や各種機器の点検作業は夜間に行う場合が多く、夜間の作業を効率的に、安全で、しかも少ない労力で行うことができる。
【００４６】
（第２実施形態）
次に、第２実施形態に係る無停波型アンテナ切替装置１Ａを図１０に基づいて説明する。
この無停波型アンテナ切替装置１Ａでは、サーキュレータ１０の第３ポートｐ３が、上記第１実施形態のように切替スイッチ１４を介さずに、給電線１３を介して非常用アンテナ４に接続されている。無停波型アンテナ切替装置１Ａにおけるその他の構成は、上記第２実施形態に係る無停波型アンテナ切替装置１と同様である。
【００４７】
なお、この発明は以下のように変更して具体化することもできる。
・上記各実施形態では、バンドパスフィルタ１１が通過帯域或いは反射帯域とする電波の使用帯域を、１３ｃｈ〜３５ｃｈのＵＨＦ周波数帯域（中心周波数が539MHzで、22×6MHz=132MHzの周波数帯域）としているが、電波の使用帯域はそのＵＨＦ周波数帯域に限定されない。
【００４８】
・上記各実施形態では、バンドパスフィルタ１１が６つの並列共振回路２１１〜２１６を備えている構成について説明したが、バンドパスフィルタ１１に設ける共振並列回路の数は６つに限定されない。
【図面の簡単な説明】
【００４９】
【図１】第１実施形態に係る無停波型アンテナ切替装置をテレビ中継放送所に用いた構成を示す概略図。
【図２】第１実施形態に係る無停波型アンテナ切替装置の概略構成を示すブロック図。
【図３】同切替装置の概略構成を示す斜視図。
【図４】同切替装置のバンドパスフィルタを示す図で、電波の使用帯域を通過帯域とする第１位置にある状態を示す断面図。
【図５】同バンドパスフィルタを示す図で、電波の使用帯域を反射帯域とする第２位置にある状態を示す断面図。
【図６】同バンドパスフィルタを示す平面図。
【図７】同バンドパスフィルタを構成する並列共振回路の等価回路を示す回路図。
【図８】同バンドパスフィルタの動作説明図。
【図９】同バンドパスフィルタの通過帯域移行特性を示すグラフ。
【図１０】第２実施形態に係る無停波型アンテナ切替装置の概略構成を示すブロック図。
【図１１】従来技術の概略構成を示すブロック図。
【図１２】別の従来技術の概略構成を示す図で、常用アンテナ側へ電波が給電される状態を示すブロック図。
【図１３】図１２と同じ従来技術を示す図で、非常用アンテナ側へ電波が給電される状態を示すブロック図。
【符号の説明】
【００５０】
１，１Ａ：無停波型アンテナ切替装置
２：常用アンテナ
３ａ：放送機
４：非常用アンテナ
５：放送機
１０：サーキュレータ
ｐ１：第１ポート
ｐ２：第２ポート
ｐ３：第３１ポート
１１：バンドパスフィルタ
１１ａ：フィルタ入力部
１１ｂ：フィルタ出力部
１２ａ，１２ｂ：第１の給電線
１３，１３ａ，１３ｂ：第２の給電線
１４：切替スイッチ
１５：切替器
１５ａ：ダミーロード装着部
１６：ダミーロード
２０：筐体
２１１〜２１６：並列共振回路
Ｃ１〜Ｃ６：キャパシタ
Ｌ：インダクタ
Ｃ１１〜Ｃ１７：コンデンサ
２２：蓋体
２３：共振バフ（キャパシタを構成する部材）
２５：把持部
【図１】
0004827806.tif 000002
【図２】
0004827806.tif 000003
【図３】
0004827806.tif 000004
【図４】
0004827806.tif 000005
【図５】
0004827806.tif 000006
【図６】
0004827806.tif 000007
【図７】
0004827806.tif 000008
【図８】
0004827806.tif 000009
【図９】
0004827806.tif 000010
【図１０】
0004827806.tif 000011
【図１１】
0004827806.tif 000012
【図１２】
0004827806.tif 000013
【図１３】
0004827806.tif 000014